【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
表示アイテムと、複数の処理のうち何れかの処理を指示するための指示アイテムとを表示部に表示するように制御する表示制御手段と、
前記表示アイテムの移動の指示を受け付ける受付手段と、
前記受付手段で移動の指示を受け付けると、当該移動の方向に基づいて、前記表示部に表示された複数の前記指示アイテムのうち一部の複数の指示アイテムの表示間隔を広げるように、前記指示アイテムの位置を変更するように制御する制御手段と、
前記表示アイテムを前記指示アイテムへ移動する指示を受け付けると、移動先の指示アイテムの処理を実行する処理手段と、
を有することを特徴とする表示制御装置。
【請求項２】
前記制御手段は、前記移動の方向に基づいて、複数の前記指示アイテムに優先順位を設定し、該優先順位が所定以上の複数の指示アイテム間の表示間隔を広げるように前記指示アイテムの位置を変更するように制御することを特徴とする請求項１に記載の表示制御装置。
【請求項３】
前記制御手段は、前記移動の方向の延長線上に近い前記指示アイテムほど前記優先順位を高く設定することを特徴とする請求項２に記載の表示制御装置。
【請求項４】
前記制御手段は、前記移動の方向の延長線上に近いほうから所定数の前記指示アイテムの表示間隔を広げるように制御することを特徴とする請求項１乃至３の何れか１項に記載の表示制御装置。
【請求項５】
前記処理手段は、前記制御手段による前記指示アイテムの位置の変更後に行われた前記表示アイテムの前記指示アイテムへの移動に応じて、移動先の指示アイテムの処理を実行することを特徴とする請求項１乃至４の何れか１項に記載の表示制御装置。
【請求項６】
前記表示アイテムを選択しながら前記表示部に対する指示位置を移動させることで前記表示アイテムの表示位置を移動させるドラッグ操作と、前記表示アイテムを選択する操作の解除後に前記表示アイテムの表示位置を移動させるスローイング操作とを受け付け可能であり、
前記処理手段は、前記ドラッグ操作に応じて行われた前記制御手段による前記指示アイテムの位置の変更の後に行われた前記スローイング操作に応じて、前記スローイング操作による前記表示アイテムの移動先の指示アイテムの処理を実行することを特徴とする請求項５に記載の表示制御装置。
【請求項７】
前記スローイング操作による前記表示アイテムの移動先に指示アイテムが表示されていなかった場合は、前記表示アイテムの表示位置を前記ドラッグ操作が行われる前の位置に戻すことを特徴とする請求項６に記載の表示制御装置。
【請求項８】
前記表示制御手段は、前記指示アイテムを表示画面の外周部に表示することを特徴とする請求項１乃至７のいずれか１項に記載の表示制御装置。
【請求項９】
前記制御手段は、少なくとも３つの指示アイテムについて、前記表示アイテムの位置から前記表示部における水平方向と垂直方向に対してそれぞれ分割した４領域のうち１つの領域に１つの指示アイテムを表示するように前記指示アイテムの位置を変更するように制御することを特徴とする請求項１乃至８の何れか１項に記載の表示制御装置。
【請求項１０】
表示アイテムを表示部に表示するように制御する表示制御手段と、
前記表示アイテムを選択しながら前記表示部に対する指示位置を移動させることで前記表示アイテムの表示位置を移動させるドラッグ操作と、前記表示アイテムを選択する操作の解除後に前記表示アイテムの表示位置を移動させるスローイング操作とを受け付ける受付手段と、
前記表示アイテムに対する前記スローイング操作の方向に応じて複数の処理のうち何れかの処理を実行する処理手段と、
前記ドラッグ操作での指示位置の移動に応じて、前記複数の処理のうち一部の処理を実行させるための前記スローイング操作の方向の範囲を広げるように制御する制御手段と、
を有することを特徴とする表示制御装置。
【請求項１１】
前記処理手段は、前記スローイング操作の方向がそれぞれ１つの処理に対応する複数の角度範囲の何れであるかに応じた処理を実行するように制御し、
１つの処理に対応する前記角度範囲は、前記表示アイテムの表示位置を交点とする２線分の成す角度により定義され、
前記制御手段は、前記ドラッグ操作での指示位置の移動に応じて、前記一部の処理を実行させるための角度範囲を広げるように制御することを特徴とする請求項１０に記載の表示制御装置。
【請求項１２】
前記表示アイテムは、コンテンツを表す表示アイテムであることを特徴とする請求項１乃至１１の何れか１項に記載の表示制御装置。
【請求項１３】
前記処理手段は、移動された表示アイテムが表すコンテンツに対して処理を実行することを特徴とする請求項１２に記載の表示制御装置。
【請求項１４】
前記受付手段はタッチパネルであることを特徴とする請求項１乃至１３の何れか１項に記載の表示制御装置。
【請求項１５】
前記受付手段はマウスであることを特徴とする請求項１乃至１３の何れか１項に記載の表示制御装置。
【請求項１６】
表示アイテムと、複数の処理のうち何れかの処理を指示するための指示アイテムとを表示部に表示するように制御する表示制御ステップと、
前記表示アイテムの移動の指示を受け付ける受付ステップと、
前記受付ステップで移動の指示を受け付けると、当該移動の方向に基づいて、前記表示部に表示された複数の前記指示アイテムのうち一部の複数の指示アイテムの表示間隔を広げるように、前記指示アイテムの位置を変更するように制御する制御ステップと、
前記表示アイテムを前記指示アイテムへ移動する指示を受け付けると、移動先の指示アイテムの処理を実行する処理ステップと、
を有することを特徴とする表示制御装置の制御方法。
【請求項１７】
表示アイテムを表示部に表示するように制御する表示制御ステップと、
前記表示アイテムを選択しながら前記表示部に対する指示位置を移動させることで前記表示アイテムの表示位置を移動させるドラッグ操作と、前記表示アイテムを選択する操作の解除後に前記表示アイテムの表示位置を移動させるスローイング操作とを受け付ける受付ステップと、
前記表示アイテムに対する前記スローイング操作の方向に応じて複数の処理のうち何れかの処理を実行する処理ステップと、
前記ドラッグ操作での指示位置の移動に応じて、前記複数の処理のうち一部の処理を実行させるための前記スローイング操作の方向の範囲を広げるように制御する制御ステップと、
を有することを特徴とする表示制御装置の制御方法。
【請求項１８】
コンピュータを、請求項１乃至１５のいずれか１項に記載の表示制御装置の各手段として機能させるためのプログラム。
【請求項１９】
コンピュータを、請求項１乃至１５のいずれか１項に記載の表示制御装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】表示制御装置及び表示制御装置の制御方法
【手続補正３】
【補正対象書類名】明細書
【補正対象項目名】０００１
【補正方法】変更
【補正の内容】
【０００１】
本発明は表示制御装置及び表示制御装置の制御方法に関し、特に、ポインティングデバイスを用いて、ディスプレイ上に表示してある画像などの表示アイテムに対する処理を指示するために用いて好適な技術に関するものである。
【手続補正４】
【補正対象書類名】明細書
【補正対象項目名】０００７
【補正方法】変更
【補正の内容】
【０００７】
本発明の表示制御装置は、表示アイテムと、複数の処理のうち何れかの処理を指示するための指示アイテムとを表示部に表示するように制御する表示制御手段と、前記表示アイテムの移動の指示を受け付ける受付手段と、前記受付手段で移動の指示を受け付けると、当該移動の方向に基づいて、前記表示部に表示された複数の前記指示アイテムのうち一部の複数の指示アイテムの表示間隔を広げるように、前記指示アイテムの位置を変更するように制御する制御手段と、前記表示アイテムを前記指示アイテムへ移動する指示を受け付けると、移動先の指示アイテムの処理を実行する処理手段と、を有することを特徴とする。